【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
可変速フレームレート撮像画像の第１画像信号を生成する画像信号生成手段と、
前記第１画像信号の生成に用いる同期信号を生成する同期信号生成手段と、
前記画像信号生成手段と前記同期信号生成手段の動作を制御する制御手段を有し、
前記制御手段は、外部から第２画像信号の供給を開始する通信情報が供給されることに応じて、前記同期信号生成手段を自走させて同期信号を生成させる
ことを特徴とする撮像装置。
【請求項２】
撮像装置と該撮像装置によって制御される被制御装置とで構成される撮像システムに用いられる撮像装置において、
前記撮像装置は、
可変速フレームレート撮像画像の第１画像信号を生成する画像信号生成手段と、
前記第１画像信号を生成するための同期信号を生成して前記画像信号生成手段に供給する同期信号生成手段と、
前記同期信号生成手段と前記被制御装置の動作を制御する制御手段を有し、
前記制御手段は、第２画像信号の供給を指示する通信情報を前記被制御装置に供給することに応じて、前記同期信号生成手段を自走させて同期信号を生成させる
ことを特徴とする撮像装置。
【請求項３】
可変速フレームレート撮像画像の第１画像信号を生成する画像信号生成手段と、該画像信号生成手段を動作させるための同期信号を生成する同期信号生成手段を備えた撮像装置と、該撮像装置を制御する制御装置とで構成される撮像システムに用いられる制御装置において、
前記制御装置は、前記撮像装置の同期信号生成手段の動作を制御する制御手段を有し、
前記制御手段は、フレームレートを示す通信情報を前記撮像装置に供給することに応じて、前記撮像装置の同期信号生成手段を自走させて同期信号を生成させる
ことを特徴とする制御装置。
【請求項４】
可変速フレームレート撮像画像の第１画像信号を生成する画像信号生成手段と、
前記第１画像信号を生成するための同期信号を生成して前記画像信号生成手段に供給する同期信号生成手段と、
第１画像信号を記録再生する記録再生手段と、
前記画像信号生成手段と前記同期信号生成手段と前記記録再生手段の動作を制御する制御手段とを有し、
前記制御手段は、前記記録再生手段を制御して画像信号を前記記録再生手段から再生させることに応じて、前記同期信号生成手段を自走させて同期信号を生成させる
ことを特徴とする撮像システム。
【請求項５】
前記制御手段は、前記記録再生手段から前記再生信号が再生されるとともに、前記第１画像信号と前記再生された画像信号のフレームレートが異なるとき、前記同期信号生成手段を自走させる
ことを特徴とする請求項４記載の撮像システム。
【請求項６】
前記制御手段は、基準同期信号が供給されたとき、前記同期信号生成手段を前記基準同期信号に同期させて動作させる
ことを特徴とする請求項４記載の撮像システム。
【請求項７】
前記制御手段は、記録再生手段からの通信情報により前記再生信号が供給されたことを
検出する
ことを特徴とする請求項４記載の撮像システム。
【請求項８】
更に、前記再生信号より同期信号を分離する同期分離部を有し、前記同期分離部が同期信号のフレームレートを判別することで、前記制御手段は前記第１画像信号のフレームレートと再生信号のフレームレートの違いを検出する
ことを特徴とする請求項５記載の撮像システム。
【請求項９】
前記第１画像信号を第１のモニタ用画像信号として出力するとともに、前記再生信号が供給されるとき、該再生信号を第２のモニタ用画像信号として出力するモニタ出力手段を備える
ことを特徴とする請求項４記載の撮像システム。
【請求項１０】
可変速フレームレート撮像画像の第１画像信号を生成する画像信号生成手段と、
前記第１画像信号を生成するための同期信号を生成して前記画像信号生成手段に供給する同期信号生成手段と、
前記可変速フレームレート撮像画像を記録再生する記録再生手段と、
前記画像信号生成手段と前記同期信号生成手段と前記記録再生手段の動作を制御する制御手段とを有し、
前記制御手段は、再生信号の供給を指示する通信情報を前記記録再生手段に供給することに応じて、前記同期信号生成手段を自走させて同期信号を生成させる
ことを特徴とする撮像システム。
【請求項１１】
撮像装置と該撮像装置を制御するための制御装置と再生装置とで構成される撮像システムに用いられる制御装置において、
前記制御装置は、画像のフレームレートに対する周波数の基準発信信号を生成する基準信号生成手段を備え、
前記制御装置は、前記再生装置が前期画像信号を前記制御装置を介して前記撮像装置に供給することに応じて、前記基準信号生成手段を自走させて前記基準発信信号を生成させる
ことを特徴とする制御装置。
【請求項１２】
前記制御装置は、前記被制御装置が基準同期信号を前記撮像装置に供給するとき、
前記基準信号生成手段を前記基準同期信号に同期させて動作させる
ことを特徴とする請求項１１記載の制御装置。
【請求項１３】
可変速フレームレート画像の第１画像信号を生成する画像信号生成手段と、
前記第１画像信号の生成に用いる同期信号を生成する同期信号生成手段と、
前記画像信号生成手段と前記同期信号生成手段の動作を制御する制御手段を有し、
前記制御手段は、外部から第２画像信号が供給されることに応じて、前記同期信号生成手段を自走させて同期信号を生成させる
ことを特徴とする画像信号生成装置。
【請求項１４】
前記制御手段は、外部から前記第２画像信号が供給されるとともに、前記第１画像信号と前記第２画像信号のフレームレートが異なるとき、前記同期信号生成手段を自走させる
ことを特徴とする請求項１３記載の画像信号生成装置。
【手続補正２】
【補正対象書類名】明細書
【補正対象項目名】発明の名称
【補正方法】変更
【補正の内容】
【発明の名称】撮像装置とその制御装置及び撮像システムと制御装置と画像信号生成装置
【手続補正３】
【補正対象書類名】明細書
【補正対象項目名】０００１
【補正方法】変更
【補正の内容】
【０００１】
この発明は撮像装置とその制御装置及び撮像システムと制御装置と画像信号生成装置に関する。詳しくは、可変速フレームレート撮像画像の第１画像信号を生成する画像信号生成手段と、第１画像信号の生成に用いる同期信号を生成する同期信号生成手段と、画像信号生成手段と同期信号生成手段の動作を制御する制御手段を有した撮像装置に第２画像信号の供給を開始する通信情報が供給されることに応じて、同期信号生成手段を自走させて同期信号を生成させることで、フレームレートが異なる第１画像信号と第２画像信号を撮像装置から出力可能とするものである。
【手続補正４】
【補正対象書類名】明細書
【補正対象項目名】０００８
【補正方法】変更
【補正の内容】
【０００８】
そこで、この発明では、可変速フレームレート撮像画像とは異なるフレームレートの画像を表示中に、この可変速フレームレート撮像画像を生成するとともに、可変速フレームレート撮像画像を表示可能とする撮像装置とその制御装置及び撮像システムと制御装置と画像信号生成装置を提供するものである。
【手続補正５】
【補正対象書類名】明細書
【補正対象項目名】０００９
【補正方法】変更
【補正の内容】
【０００９】
この発明に係る撮像装置は、可変速フレームレート撮像画像の第１画像信号を生成する画像信号生成手段と、第１画像信号の生成に用いる同期信号を生成する同期信号生成手段と、画像信号生成手段と同期信号生成手段の動作を制御する制御手段を有し、制御手段は、外部から第２画像信号の供給を開始する通信情報が供給されることに応じて、同期信号生成手段を自走させて同期信号を生成させるものである。
【手続補正６】
【補正対象書類名】明細書
【補正対象項目名】００１０
【補正方法】変更
【補正の内容】
【００１０】
また、この発明に係る撮像装置は、撮像装置と該撮像装置によって制御される被制御装置とで構成される撮像システムに用いられる撮像装置において、撮像装置は、可変速フレームレート撮像画像の第１画像信号を生成する画像信号生成手段と、第１画像信号を生成するための同期信号を生成して画像信号生成手段に供給する同期信号生成手段と、画像信号生成手段と同期信号生成手段と被制御装置の動作を制御する制御手段を有し、制御手段は、第２画像信号の供給を指示する通信情報を被制御装置に供給することに応じて、同期信号生成手段を自走させて同期信号を生成させるものである。
【手続補正７】
【補正対象書類名】明細書
【補正対象項目名】００１１
【補正方法】変更
【補正の内容】
【００１１】
さらに、この発明に係る制御装置は、可変速フレームレート撮像画像の第１画像信号を生成する画像信号生成手段と、画像信号生成手段を動作させるための同期信号を生成する同期信号生成手段を備えた撮像装置と、該撮像装置を制御する制御装置とで構成される撮像システムに用いられる制御装置において、制御装置は、撮像装置の画像信号生成手段と同期信号生成手段の動作を制御する制御手段を有し、制御手段は、フレームレートを示す通信情報を撮像装置に供給することに応じて、撮像装置の同期信号生成手段を自走させて同期信号を生成させるものである。
【手続補正８】
【補正対象書類名】明細書
【補正対象項目名】００１２
【補正方法】変更
【補正の内容】
【００１２】
また、この発明に係る撮像システムは、可変速フレームレート撮像画像の第１画像信号を生成する画像信号生成手段と、第１画像信号を生成するための同期信号を生成して画像信号生成手段に供給する同期信号生成手段と、第１画像信号を記録再生する記録再生手段と、画像信号生成手段と同期信号生成手段と記録再生手段の動作を制御する制御手段とを有し、制御手段は、記録再生手段を制御して画像信号を記録再生手段から再生させることに応じて、同期信号生成手段を自走させて同期信号を生成させるものである。
さらに、撮像システムは、可変速フレームレート撮像画像の第１画像信号を生成する画像信号生成手段と、第１画像信号を生成するための同期信号を生成して画像信号生成手段に供給する同期信号生成手段と、可変速フレームレート撮像画像を記録再生する記録再生手段と、画像信号生成手段と同期信号生成手段と記録再生手段の動作を制御する制御手段とを有し、制御手段は、再生信号の供給を指示する通信情報を記録再生手段に供給することに応じて、同期信号生成手段を自走させて同期信号を生成させるものである。
また、この発明に係る制御装置は、撮像装置と該撮像装置を制御するための制御装置と再生装置とで構成される撮像システムに用いられる制御装置であって、制御装置は、画像のフレームレートに対する周波数の基準発信信号を生成する基準信号生成手段を備え、制御装置は、再生装置が前期画像信号を制御装置を介して撮像装置に供給することに応じて、基準信号生成手段を自走させて基準発信信号を生成させるものである。
また、この発明に係る画像信号生成装置は、可変速フレームレート画像の第１画像信号を生成する画像信号生成手段と、第１画像信号の生成に用いる同期信号を生成する同期信号生成手段と、画像信号生成手段と同期信号生成手段の動作を制御する制御手段を有し、制御手段は、外部から第２画像信号が供給されることに応じて、同期信号生成手段を自走させて同期信号を生成させるものである。
【手続補正９】
【補正対象書類名】明細書
【補正対象項目名】００１３
【補正方法】変更
【補正の内容】
【００１３】
この発明においては、撮像装置の画像信号生成手段によって、可変速フレームレート撮像画像の第１画像信号が生成されると共に、この第１画像信号の生成に用いる同期信号が早期同期信号生成手段で生成される。ここで、外部機器あるいは制御機器から第２画像信号の供給を開始する通信情報が供給されることに応じて、あるいは第２画像信号の供給を指示する通信情報を被制御装置に供給することに応じて、撮像装置の同期信号生成手段が自走状態とされて、第２画像信号のフレームレートが第１画像信号のフレームレートと異なる場合であっても、撮像装置からフレームレートの異なる第１画像信号と第２画像信号が第１および第２のモニタ用画像信号として出力可能とされる。また、第２画像信号に代えて基準同期信号が供給されたときには、撮像装置の同期信号生成手段が基準同期信号に同期して動作されるので、基準同期信号に同期した第１画像信号を出力することが可能となる。
【手続補正１０】
【補正対象書類名】明細書
【補正対象項目名】００１４
【補正方法】変更
【補正の内容】
【００１４】
この発明によれば、撮像装置の画像信号生成手段によって、可変速フレームレート撮像画像の第１画像信号が生成されると共に、この第１画像信号の生成に用いる同期信号が早期同期信号生成手段で生成される。ここで、外部機器あるいは制御機器から第２画像信号の供給を開始する通信情報が撮像装置に供給されることに応じて、あるいは第２画像信号の供給を指示する通信情報を被制御装置に供給すること等に応じて、撮像装置の同期信号生成手段が自走状態とされる。このため、第２画像信号のフレームレートが第１画像信号のフレームレートと異なる場合であっても、撮像装置からフレームレートの異なる第１画像信号と第２画像信号が第１および第２のモニタ用画像信号として出力することができる。また、第２画像信号に代えて基準同期信号が供給されたときには、撮像装置の同期信号生成手段が基準同期信号に同期して動作されるので、基準同期信号に同期した第１画像信号を出力することができる。
【手続補正１１】
【補正対象書類名】明細書
【補正対象項目名】００１５
【補正方法】削除
【補正の内容】
【手続補正１２】
【補正対象書類名】明細書
【補正対象項目名】００２９
【補正方法】変更
【補正の内容】
【００２９】
信号セレクタ１５１は、制御部２０からの選択信号ＣＳaに基づき画像信号ＤＶbあるいは画像信号ＤＶrのいずれかの信号を選択して、電子ビューファインダーに供給するモニタ用画像信号ＶＦoutとして出力する。信号セレクタ１５２は、制御部２０からの選択信号ＣＳbに基づき画像信号ＤＶbあるいは画像信号ＤＶrのいずれかの信号を選択して、信号出力部１５３に供給する。信号出力部１５３は、供給された画像信号を撮像装置１０に接続されるモニタ装置に対応したフォーマットの信号に変換して、モニタ用画像信号ＭＴoutとして出力する。